(57)【特許請求の範囲】
【請求項１】
左右方向を向く横桟の前後面に対向する１対の垂下片を有し、側面視下向きコ字状に形成されて物品支持体を備えた取付け具を、一方の垂下片に螺合された締付けねじと他方の垂下片とで前記横桟を前後方向から挟んで前記横桟に固定することによって、前記物品支持体を前記横桟に取付けてなる物品支持体の取付け装置において、前記取付け具に、前記締付けねじに遊嵌して前記横桟の下面に接する外れ防止具と、前記他方の垂下片に設けられて前記横桟の下面に接する外れ防止片とを有する脱落防止手段を設けたことを特徴とする物品支持体の取付け装置。
【請求項２】
外れ防止具に、横桟の上面と取付け具の内面との間に介在して前記外れ防止具の前後方向への移動を案内する案内片を設けた請求項１記載の物品支持体の取付け装置。
【請求項３】
左右方向を向くように配列された垂直板の上端に設けられた左右方向を向く横桟の前後面に対向する１対の垂下片を有し、側面視下向きコ字状に形成されて物品支持体を備えた取り付け具を、一方の垂下片に螺合した締付けねじを締め込むことによって、この締付けねじに遊嵌して前記一方の垂下片と前記締付けねじの頭部との間に位置する外れ防止具の下端に形成した押圧片と、他方の垂下片の下端に設けられた押圧片の内端同士で、前記垂直板の上端部を前後方向から挟んで前記垂直板に固定したことを特徴とする物品支持体の取付け装置。
【請求項４】
横桟の前後幅を、垂直板の前後幅より大とした請求項３記載の物品支持体の取付け装置。
【請求項５】
外れ防止具に、横桟の上面と取付け具の内面との間に介在して、前記外れ防止具の前後方向への移動を案内する案内片を設けた請求項３または４記載の物品支持体の取付け装置。
【発明の詳細な説明】
【０００１】
【発明の属する技術分野】
本発明は、商品陳列用の棚や間仕切等における横桟や垂直板の上端部に、物品が置かれる棚板や物品収納箱等を取付ける装置に関する。
【０００２】
【従来技術】
商品陳列棚や間仕切等において、左右１対の支柱間に棚板や物品収納箱等の物品支持体を架設するには、従来は両支柱の前面に多数の係止孔を上下方向に並べて穿設し(支柱の後面にも係止孔を設ける場合もある)、任意の係止孔にブラケットの後端に形成したフックを係止して、左右のブラケット上に棚板等の物品支持体を架設するのが一般的である。
【０００３】
【発明が解決しようとする課題】
しかし、上述のような従来の構造のものにおいては、複数の棚板等を多段状に架設した場合、上段の棚板を支持するためのブラケットが、その下段の棚板上に載置した陳列物の側方視野を遮ぎり、陳列効果が低下するという問題がある。
【０００４】
また、水平な横桟に、物品支持体を取付ける従来の技術としては、物品支持体の下面に固着した下向きコ字状の取付け具を横桟に上方から嵌合し、その一方の垂下片に螺合した締付けねじと他方の垂下片とにより横桟を締付けるようにしたものがあるが、このものによると、締付けねじの弛みや、下方からの外力または横桟を中心として回転させようとする力等が掛った場合等に、取付け具が横桟から外れ易い等の問題がある。
【０００５】
本発明は、従来の技術が有する上記のような問題点に鑑み、物品支持体の下方の側方視野を遮ぎることがなく、しかも支柱や支柱同士を連結する横桟等に穿孔その他の特別の加工を施す必要がなく、物品支持体を簡単かつ確実に着脱しうるようにした物品支持体の取付け装置を提供することを目的としている。
【０００６】
【課題を解決するための手段】
本発明によると、上記課題は次のようにして解決される。
(１) 左右方向を向く横桟の前後面に対向する１対の垂下片を有し、側面視下向きコ字状に形成されて物品支持体を備えた取付け具を、一方の垂下片に螺合された締付けねじと他方の垂下片とで前記横桟を前後方向から挟んで前記横桟に固定することによって、前記物品支持体を前記横桟に取付けてなる物品支持体の取付け装置において、前記取付け具に、前記締付けねじに遊嵌して前記横桟の下面に接する外れ防止具と、前記他方の垂下片に設けられて前記横桟の下面に接する外れ防止片とを有する脱落防止手段を設ける。
【０００７】
(２) 上記(１)項において、外れ防止具に、横桟の上面と取付け具の内面との間に介在して前記外れ防止具の前後方向への移動を案内する案内片を設ける。
【０００８】
(３) 左右方向を向くように配列された垂直板の上端に設けられた左右方向を向く横桟の前後面に対向する１対の垂下片を有し、側面視下向きコ字状に形成されて物品支持体を備えた取り付け具を、一方の垂下片に螺合した締付けねじを締め込むことによって、この締付けねじに遊嵌して前記一方の垂下片と前記締付けねじの頭部との間に位置する外れ防止具の下端に形成した押圧片と、他方の垂下片の下端に設けられた押圧片の内端同士で、前記垂直板の上端部を前後方向から挟んで前記垂直板に固定する。
【０００９】
(４) 上記(３)項において、横桟の前後幅を、垂直板の前後幅より大とする。
【００１０】
(５) 上記(３)または(４)項において、外れ防止具に、横桟の上面と取付け具の内面との間に介在して、前記外れ防止具の前後方向への移動を案内する案内片を設ける。
【００１１】
【発明の実施の形態】
以下、本発明の実施の形態を図１〜図５に基づいて説明する。
図１と図２は、本発明の第１の実施形態(請求項１及び２記載の発明の実施形態)の取付け装置を示し、図３はその取付け装置によって棚板を取付けた陳列棚の外観を示す。
【００１２】
陳列棚(１)は、前後方向を向く１対の脚台(２)(２)に立設された左右１対の支柱(３)(３)と、両支柱(３)(３)を連結する左右方向を向く上下１対の横桟(４)(５)と、両支柱(３)(３)と上下の横桟(４)(５)とに囲まれた空間内に設けられた左右方向を向く垂直板(背板)(６)とを有している。
垂直板(６)は、この実施形態においては透明なガラス板またはアクリル板としてある。
【００１３】
図示は省略してあるが、公知のように、左右の支柱(３)(３)の前後面に、複数の係止孔を上下方向に並べて穿設し、その任意の係止孔に、左右１対のブラケットの後端(後方のものは前端)に設けたフックを係止して、両ブラケット上に棚板を架設することもある。
【００１４】
(７)は、水平のガラス板(またはアクリル板)よりなる棚板、(８)は、棚板(７)を支持する前後方向を向く左右１対の支持杆で、この棚板(７)と支持杆(８)とにより、物品支持体(９)が形成されている。
【００１５】
各支持杆(８)は、正面形が下向きコ字状をなし、前後の端部には、棚板(７)を前後より挟む１対の起立片(8a)が連設されている。(10)は、棚板(７)を支持杆(８)に固定する止めねじである。
【００１６】
各支持杆(８)における左右の垂下片(8b)(8b)のほぼ中央部には、下方に向かって開口する方形の切欠き(11)が形成され、この切欠き(11)を横桟(４)に上方より嵌合させた状態で、支持杆(８)は、内部に設けた取付け装置(12)により、横桟(４)に確実に固定される。
取付け装置(12)は、取付け具(13)と、締付けねじ(14)と、外れ防止具(15)とからなっている。
【００１７】
取付け具(13)は、支持杆(８)の上片(8c)の下面に溶接等により固着された上片(13a)と、上片(13a)の前後の端部より垂下し、支持杆(８)の切欠き(11)に嵌合された横桟(４)の前後面に対向する前後１対の垂下片(13b)(13b)と、前方の垂下片(13b)の下端に連設され、かつ後方を向いて、横桟(４)の下面前部に係合しうる外れ防止片(13c)とを有している。
【００１８】
取付け具(13)における後方の垂下片(13b)のほぼ中央には、ねじ孔(16)が穿設されており、ここに大径の頭部(14a)を有する締付けねじ(14)の雄ねじ(14b)が螺合されている。
また後方の垂下片(13b)における中央上部には、前後方向に長いスリット(17)が形成されている。
【００１９】
外れ防止具(15)は、取付け具(13)の上片(13a)の下面と横桟(４)の上面との間に介在するようにして、スリット(17)に後方より嵌合された前後方向を向く案内片(15a)と、その後端より垂下する垂下片(15b)と、その下端に連設され、かつ前方を向いて、横桟(４)の下面の後部に係合しうる係合片(15c)とを有している。
【００２０】
垂下片(15b)のほぼ中央には、貫通孔(18)が穿設されており、この貫通孔(18)には、垂下片(15b)が取付け具(13)の後方の垂下片(13b)と締付けねじ(14)の頭部(14a)との間に介在するようにして、締付けねじ(14)の雄ねじ部(14b)が遊嵌されている。
【００２１】
取付け具(13)は、締付けねじ(14)と前方の垂下片(13b)とで横桟(４)を前後方向から挾むことによって、横桟(４)に固定され、物品支持体(９)を横桟(４)に支持することができる。
従って、取付け装置(12)は、物品支持体(９)を横桟(４)の所望の左右方向の位置に設けることができる。このような取付け方をすると、従来のように、ブラケットを取付ける孔を支柱(３)に形成する必要がなくなり、棚の外観を損なうことがなくなる。また、支柱(３)を弱体化することがなく、重量のある物品を棚板(７)に置くことができるようになる。
【００２２】
しかし、取付け具(13)は、棚板(７)の前部あるいは後部に物品を置いたとき、支持杆(８)に回転モーメントが発生し、横桟(４)から外れる恐れがある。
この外れ防止のために、締付けねじ(14)に遊嵌して横桟(４)の下面に係合する外れ防止具(15)と、取付け具(13)の前方の垂下片(13b)に設けられて横桟(４)の下面に係合する外れ防止片(13c)とからなる外れ防止手段(19)が取付け装置(10)に組み込まれている。
【００２３】
すなわち、締付けねじ(14)を締付けて、締付けねじ(14)と前方の垂下片(13b)とで横桟(４)を前後方向から挟んだとき、係合片(15c)と外れ防止片(13c)とが横桟(４)の下面に係合して取付け具(13)の外れが防止される。
なお、外れ防止具(15)が前後方向に移動してがた付かないように、外れ防止具(15)と取付け具(13)との間に皿ばね(20)を必要に応じて介在させるのがよい。
【００２４】
図４は本発明の第２の実施形態(請求項３〜５記載の発明の実施形態)の取付け装置(30)を示す。
この取付け装置(30)は、第１の実施形態の取付け装置(12)における取付け具(13)に設けられた外れ防止片(13c)と、外れ防止具(15)の係合片(15c)とを前後方向に長くしたものを前後１対の押圧片(15d)(13d)とし、それ以外は、第１の実施形態の取付け装置(12)と同一としている。このため、第１の実施形態と同一の構造については、上述のものと共通の符号をもって図示するに止め、詳細な説明は省略する。
【００２５】
第２の実施形態においては、垂直板(６)は、鋼板製または木製のものとし、ガラス等の壊れ易い材質のものは避けるのがよい。
【００２６】
取付け装置(30)は、締付けねじ(14)を締付けることによって、前後の押圧片(15d)(13d)により、横桟(４)の直下の垂直板(６)の上部を前後方向から挟んで、締付けるようになっている。このとき、取付け具(13)の前後の垂下片(13b)(13b)と、締付けねじ(14)の先端とは、横桟(４)に接触しないようになっている。
【００２７】
横桟(４)の前後幅を垂直板(６)の前後幅、すなわち厚さより大としておくと、締付けねじ(14)を締付けたとき、前後の押圧片(15d)(13d)が横桟(４)の下面の前後部に接触して取付け具(13)の外れが確実に防止される。
【００２８】
第２の実施形態によると、第１の実施形態と同様の作用及び効果を奏することができる。
【００２９】
図５は物品支持体の変形例を示す。
この物品支持体(41)は、横桟(４)上に設けられた左右１対の取付け具(13)の上面に立設された１対の支持脚(42)(42)と、この支持脚(42)の上端に前後方向に向けて水平に設けられた支持杆(43)と、この支持杆(43)に設けられたガラス、アクリル等の透明な収納箱(44)とにより構成されている。
支持杆(43)は帯状の平板を使用しており、その前後端には、収納箱(44)が前後方向に位置ずれしないように、上向きの突片(43a)がそれぞれ設けられている。
【００３０】
第２の実施形態の取付け装置(30)の変形例として、前後の押圧片(15d)(13d)を横桟(４)の下面に接触させることなく、それらの内端同士で垂直板(６)または支柱(３)を挾圧把持して、物品支持体(９)を取付けることもある。
この場合の取付け装置(30)は、取付け具(13)が傾いたとき、いずれか一方の押圧片(15d)(13d)が横桟(４)の下面に接触して、取付け具(13)の脱落が防止される。
【００３１】
陳列棚(１)の変形例として、横桟(４)を支柱(３)の中位部または下部に設け、それに取付け装置(12)によって物品支持体(９)を取付けることもある。
外れ防止具(15)の変形例として、案内片(15a)を備えていないものもある。
第１及び第２の実施形態の取付け装置(12)(30)は、ローパーティション等の間仕切の上端部の横桟に設けることもできる。
【００３２】
【発明の効果】
請求項１の発明によると、次の効果を奏する。
物品支持体の取付け取り外しが容易である。
物品支持体を横桟の前後幅に関係なく横桟に取付けることができる。
棚や間仕切に物品支持体を取付けるための孔等を形成しておく必要がなく、棚や間仕切等の外観を損なうことがないとともに、支柱を弱体化させることがなくなり、重量のある物品を物品支持体に置くことができる。
従来のブラケットを用いたもののように、下段の棚板等に載置された物品の側方からの出し入れや側方視野がブラケットによって妨げられることがない。
【００３３】
また、請求項１の発明によると、取付け具が、外れ防止具と外れ防止片とかならる脱落防止手段により脱落防止されているため、物品支持体に下方から外力がかかったり、または物品支持体の前部あるいは後部に片寄らせて物品を置いたりしても、取付け具が横桟から外れることなく、物品の落下を防止することができる。
【００３４】
請求項２の発明のように、外れ防止具に、横桟の上面と取付け具の内面との間に介在して外れ防止具の前後方向への移動を案内する案内片を設けると、外れ防止具の前後方向への移動が円滑になり、取付け具を横桟に速やかに取付けることができるとともに、外れ防止具の向きが安定し、外れ防止具が傾いたりすることがない。
【００３５】
請求項３の発明によると、請求項１の発明と同様の効果を奏することできる他に、取付けることができる横桟の前後幅の許容範囲をより大とすることができるという利点がある。
【００３６】
請求項４の発明のように、横桟の前後幅を、垂直板の前後幅より大とすると、取付け具が傾いてもいずれか一方の押圧片が横桟の下面に接して、取り付け具の脱落を確実に防止することができる。
【００３７】
請求項５の発明のように、外れ防止具に、横桟の上面と取付け具の内面との間に介在して、外れ防止具の前後方向への移動を案内する案内片を設けると、外れ防止具の前後方向への移動が円滑になり、物品支持体を垂直板に速やかに取付けることができる。
【図面の簡単な説明】
【図１】  本発明の第１の実施形態の要部の縦断側面図である。
【図２】  同じく、一部を破断して示す要部の斜視図である。
【図３】  図１の取付け装置を備えた陳列棚の斜視図である。
【図４】  本発明の第２の実施形態における図１と同様の部分の縦断側面図である。
【図５】  他の物品支持体を備えた陳列棚の斜視図である。
【符号の説明】
(１)陳列棚
(２)脚台
(３)支柱
(４)(５)横桟
(６)垂直板
(７)棚板
(８)支持杆
(8a)起立片
(8b)垂下片
(8c)上片
(９)物品支持体
(10)止めねじ
(11)切欠き
(12)取付け装置
(13a)上片
(13b)垂下片
(13c)外れ防止片
(13d)押圧片
(14)締付けねじ
(14a)頭部
(14b)雄ねじ部
(15)外れ防止具
(15a)案内片
(15b)垂下片
(15c)係合片
(15d)押圧片
(16)ねじ孔
(17)スリット
(18)貫通孔
(19)外れ防止手段
(20)皿ばね
(30)取付け装置
(41)物品支持体
(42)支持脚
(43)支持片
(43a)前部突片
(44)収納箱
【図１】
0003963991.tif 000002
【図２】
0003963991.tif 000003
【図３】
0003963991.tif 000004
【図４】
0003963991.tif 000005
【図５】
0003963991.tif 000006